(57)【特許請求の範囲】
【請求項１】
プリント回路基板を保持する装置において、
可撓性シェル構造、
前記プリント回路基板の少なくとも一部を受入れ保持することができる凹部を形成するように、前記シェル構造に結合した可撓性フランジ、を備え、前記可撓性フランジは、前記プリント回路基板を受入れるため曲げることができ、前記プリント回路基板を受入れた後、ほぼ曲げる前の形状に戻ることができ、
前記可撓性フランジに係合できる取付けブラケットを備え、前記可撓性フランジは、前記シェル構造を前記取付けブラケット内に挿入できるように曲げることが出来、ほぼ前記取付けブラケット内に挿入される前の形状に戻ることができることを特徴とする装置。
【請求項２】
プリント回路基板を保持する装置において、
プリント回路基板を受入れる開口と、前記開口の少なくとも一部の周りに配置された内側スロットとを有する可撓性シェル構造を備え、前記内側スロットは、前記プリント回路基板の少なくとも一部を前記シェル構造内に受入れ保持することができ、前記シェル構造は、前記内側スロット内に前記プリント回路基板を受入れるため、前記開口を大きくするように曲げることができ、前記プリント回路基板を受入れた後、ほぼ曲げる前の形状に戻ることができ、前記シェル構造は、可撓性フランジを有し、
前記可撓性フランジに係合できる取付けブラケットを備え、前記可撓性フランジは、前記シェル構造を前記取付けブラケット内に挿入できるように曲げることが出来、ほぼ前記取付けブラケット内に挿入される前の形状に戻ることができることを特徴とする装置。
【請求項３】
請求項１又は２に記載した装置であって、前記可撓性シェル構造と前記可撓性フランジのうち少なくとも一方は、前記プリント回路基板の縁部の少なくとも一部の周りにぴったり合う大きさである装置。
【請求項４】
請求項１乃至３の何れか１項に記載した装置であって、前記可撓性シェル構造は、前記プリント回路基板をほぼ電気的に絶縁する誘電性材料で出来ている装置。
【請求項５】
請求項１乃至４の何れか１項に記載した装置であって、前記可撓性シェル構造と前記可撓性フランジのうち少なくとも一方は、衝撃を吸収する材料で出来ている装置。
【発明の詳細な説明】
【０００１】
【発明の属する技術分野】
本発明は、一般にプリント回路基板を保持する装置に関し、より詳しくはプリント回路基板を囲みそれをフレームに取り付けるための可撓性シェル構造を備えるプリント回路基板保持装置に関する。
【０００２】
【従来の技術】
現在、マイクロプロセッサーはますます色々のデバイスに組込まれている。プリント回路基板等のマイクロプロセッサーと組み合わさるハードウェア部品は、色々の異なる大きさと形状の位置に配置しなければならない。色々のスペースに使用できるパッケージ手段が望まれている。容易に近づけないスペースでは、固定する必要のないパッケージ手段も望まれている。さらに、ハードウェアを振動、衝撃、静電気放電から遮断する手段を提供することが望ましい。
【０００３】
【発明が解決しようとする課題】
従って、本発明は、上述の問題の１つ又はそれ以上を解決することを目的とする。
【０００４】
【課題を解決するための手段】
本発明の１実施例では、プリント回路基板を保持する装置は、プリント回路基板を受ける内側スロットと開口を有する中空シェル構造と、シェル構造を受けるフレーム部分を含む取付けブラケットとを備える。リムが、開口の縁部の周りに延び、可撓性フランジが少なくともリムの一部から延びる。該可撓性フランジは、首部分と下部タブとを備え、これらがシェル構造を取り付けブラケット内に保持する手段を与える。該内側スロットは、プリント回路基板がシェル構造に挿入されたとき、プリント回路基板の縁部の周りにぴったり合う大きさである。該シェル構造は、プリント回路基板を静電気の放電、及び/又は他の種類の電気的損傷又は干渉、及び衝撃と振動から遮断する誘電性材料で出来ている。オプションとして、本発明の取付けブラケットは、デバイス内に別のハードウェア部品を取り付ける支持構造と、取付けブラケットをデバイス内に付ける取付けタブとを備えていてもよい。
【０００５】
【発明の実施の形態及び実施例】
図１を参照すると、プリント回路基板20を保持する組立体の部品は、取付けブラケット24内に挿入される中空シェル構造22を備える。シェル構造22を、図２〜５に詳細に示す。シェル構造22のある部分に開口が設けられ、プリント回路基板20をシェル構造22に挿入することが出来る。図２〜５に示す本発明の好適な実施例では、シェル構造22の底部は実質的に開いていて、プリント回路基板20を受ける開口26を与える。
【０００６】
図２に最も良く示すように、リム28が開口26の縁部の周りを延びる。本発明は、少なくともリム28の一部から延びる可撓性フランジ30を備え、それがシェル構造22を取り付けブラケット24内に保持する手段を与える。シェル構造22は異なるプリント回路基板20を保持するためどのような形でもとれるので、可撓性フランジ30の色々の異なる配置を考えることが出来る。好適な実施例では、可撓性フランジ30は、リム28の各側面から延びるが、他の実施例では、可撓性フランジ30は２つのみであり、それぞれ隣接する又は対向する側面から延びる。他の実施例では、可撓性フランジ30は１つであり、リム28の周りに完全に又はほぼ延びる。可撓性フランジ30は３つで、リム28の3つの側面から延びるものも考えられる。可撓性フランジ30は、リム28の形状によりほぼ直線でも曲線でもよい。以下の述べるように、可撓性フランジ30を取り付けブラケット24に挿入取り外し出来るように、可撓性フランジ30は曲げることが出来る。可撓性フランジ30はまた、取り付けブラケット24に挿入取り外しの間に曲げられる前の形状に、ほぼ戻ることが出来る。図３に示すように、可撓性フランジ30はＬ形状で、可撓性フランジ30のリム28と下部タブ34の間に首部分32がある。首部分32は、取り付けブラケット24内のフレームの内側縁部に係合し、シェル構造22を取り付けブラケット24に保持する。
【０００７】
シェル構造22は、図４ａに示すような、プリント回路基板20をシェル構造22に挿入するとき、プリント回路基板20の縁部の周りにぴったり合う大きさの内側スロット35を備えると有利である。内側スロット35は、プリント回路基板20の縁部の周りを一部又は全体に延びる。内側スロット35は、プリント回路基板20上の部品の破損を防止する。プリント回路基板20がシェル構造22内で移動できると、部品を破損する恐れがある。さらに、これはプリント回路基板20上の部品に取り付けられたコネクター（図示せず）との接続を保持するのに役立つ。プリント回路基板20を保護するためには、シェル構造22は、プリント回路基板20を静電的放電及び/又は他の種類の電気的損傷又は干渉から遮断する高誘電性材料で出来ていてもよい。シェル構造22はまた、プリント回路基板20とその上の部品を損傷から保護するため、衝撃と振動を吸収する材料で出来ていても良い。
【０００８】
図６〜９は、シェル構造22の可撓性フランジ30に係合するためのフレーム部分36を含む取り付けブラケット24を詳細に示す。フレーム部分36は、開口部40の周りの内側縁部38を備える。開口部40と内側縁部38の形状と大きさは、首部分32を内側縁部38と係合させ、シェル支持構造22を支持することにより、シェル構造22をフレーム部分36上に保持するような形状と大きさである。
可撓性フランジ30とシェル構造22は、力がかかるとき曲ることが出来る材料で出来ている。材料はまた、可撓性フランジ30とシェル構造22が曲げられる前の初めの形状にほぼ戻ることの出来る弾力性を有する。リム28は、プリント回路基板20上を移動し、プリント回路基板20をシェル構造22の内側スロット35内に挿入する。可撓性フランジ30は、開口26から離れるように外側に曲げられ、プリント回路基板20をシェル構造22のスロット35内に挿入しやすくする。シェル構造22を開口部40内に挿入するため、シェル構造22が開口部40内に下げられるとき、可撓性フランジ30は開口26に向かって内側に曲げられる。可撓性フランジ30は、解放されたときほぼ元の形状の戻るので、シェル構造22は下部タブ34によりフレーム内に保持される。シェル構造22を取り外すには、曲った下部タブ34を開口26に向かって曲げるように力をかける。下部タブ34が内側に曲げられると、シェル構造22はフレーム部分36から上げることができる。
【０００９】
本発明の重要な態様は、シェル構造22とプリント回路基板20をフレーム部分36に保持する手段が、シェル構造22の構造と一体となることである。プリント回路基板20をシェル構造22に保持する、又はシェル構造22をフレーム部分36に保持するのに、他の固定具又は構造は必要ではない。
取り付けブラケット24と共に備えることの出来る任意の態様は、別のハードウェア部品をデバイス内に取り付けるための、フレーム部分36に取り付けられた即ち一体となった別の支持構造42である。支持構造42は、1つ又はそれ以上の制御スイッチ等の要求される色々のハードウェア部品を支持するように構成することが出来る。ハードウェア部品は、プリント回路基板20に接続されてもされなくても良い。支持構造42は、取付けネジ用孔44,46等のハードウェア部品取付け手段を備えることが出来る。孔44,46に加えて又はその代わりにクリップとフランジ等の他の取付け手段備えることも出来る。
取り付けブラケット24をデバイスに又はその中に付けるためのタブ48等の手段も備えることが出来、タブ48は取り付けネジ用孔50を備えることも出来る。取付けブラケット24を付けるデバイスと位置によって、業界で知られる他の好適な固定又は取り付け手段も、取り付けタブ48の代りに又はそれに加えて備えることも出来る。
【００１０】
図１０〜１２は、支持構造42に付けられた制御スイッチ組立体52の例を示す。制御スイッチ組立体52は、デバイスの移動を制御するための所望の速度と方向を示す力をかけるインターフェースをオペレーターに与える。
制御スイッチ組立体52は、力を電気出力信号に変換する手段を備える。信号は、プリント回路基板20上で実行される信号調整工学を使用して調整される。コネクター54が、制御スイッチ組立体52とプリント回路基板20の間の電気通信を与える。
図１０〜１２に示すように、本発明は、プリント回路基板20を保持する手段と、プリント回路基板20に入力を与える１つ又はそれ以上の制御スイッチ組立体52を保持する任意の手段と、取付けブラケット24をデバイス内に付ける手段を与える。
【００１１】
本発明は、デバイス内にマイクロプロセッサー又はプリント回路基板が組込まれたどのような状況ででも適用することが出来る。保持構造は、コンパクトなパッケージ設計で、組立が容易で、異なる大きさのデバイスとプリント回路基板に適用することが出来る。これらの種類のデバイスの幾つかの例には、コンピューターのマウス等のハンドヘルドデバイス、ハンドヘルドラジオ、又は携帯電話がある。
【００１２】
プリント回路基板20用の衝撃と振動に抵抗性のコンパクトなパッケージを必要とする用途の例は、図13に示すようなハンドグリップ組立体56である。ハンドグリップ組立体56は、移動する部品等のオペレーターの入力を要するサブシステムを有するシステムの制御デバイスの例である。本発明は、ハンドグリップ組立体56に取り付け、制御スイッチ組立体52は制御スイッチ58が取り付けられた開口部を通ってオペレーターによりアクセスすることが出来る。取り付けブラケット24は、取り付けタブ48の孔50と、ハンドグリップ組立体56の外側部分の他の孔（図示せず）を通って、ネジ60等の固定具を使用してハンドグリップ組立体56内の適所に保持される。フレーム部分36に対する支持構造42と取り付けタブ48の角度方向は、ハンドグリップ組立体56の内側部分の形状内に適合するように調整することが出来る。1つ又はそれ以上の取付けブラケット24をハンドグリップ組立体56内又はパネル等の他の位置に組込むことが出来る。
【００１３】
本発明の他の態様、目的及び利点は、図面、発明の詳細な説明、及び特許請求の範囲から得ることが出来る。
【図面の簡単な説明】
【図１】  本発明によるプリント回路基板を保持し取付けブラケットに取り付けるためのシェル構造の分解斜視図。
【図２】  シェル構造の底面図。
【図３】  シェル構造の前面図。
【図４】  シェル構造の側面図。
【図４ａ】  内側スロットを示すシェル構造の断面図。
【図５】  シェル構造の上面図。
【図６】  取付けブラケットの上面図。
【図７】  取付けブラケットの前面図。
【図８】  取付けブラケットの後面図。
【図９】  取付けブラケットの側面図。
【図１０】  取付けブラケットに取付けられたシェル構造と制御スイッチの側面図。
【図１１】  取付けブラケットに取付けられたシェル構造と制御スイッチの上面図。
【図１２】  取付けブラケットに取付けられたシェル構造と制御スイッチの底面図。
【図１３】  本発明による保持構造を含むハンドグリップの側面断面図。
【符号の説明】
20  プリント回路基板
22  中空シェル構造
24  取付けブラケット
26  開口
28  リム
30  可撓性フランジ
32  首部分
34  下部タブ
35  内側スロット
36  フレーム部分
38  内側縁部
40  開口部
42  支持構造
44,46  孔
48  取付けタブ
50  孔
52  制御スイッチ組立体
54  コネクター
56  ハンドグリップ組立体
58  制御スイッチ
60  ネジ
【図１】
0004068764.tif 000002
【図２】
0004068764.tif 000003
【図３】
0004068764.tif 000004
【図４】
0004068764.tif 000005
【図４ａ】
0004068764.tif 000006
【図５】
0004068764.tif 000007
【図６】
0004068764.tif 000008
【図７】
0004068764.tif 000009
【図８】
0004068764.tif 000010
【図９】
0004068764.tif 000011
【図１０】
0004068764.tif 000012
【図１１】
0004068764.tif 000013
【図１２】
0004068764.tif 000014
【図１３】
0004068764.tif 000015